(57)【要約】  外力によって広がり状態とベンダブル状態を可逆的に遷移することができるベンダブル装置が開示される。このベンダブル装置は、上部ブラケットとこれに回転可能に軸結合された下部ブラケットを有する。また、上部ブラケットに回転可能に軸結合されると同時に下部ブラケットの一部とかみ合って、外部に露出されたスイングリンク突起に加えられた外力によって上部ブラケットに対して自ら回転しながら下部ブラケットが上部ブラケットに結合された軸を中心に所定角度程度回転するように強制するスイングリンクを有する。外力が反対方向に加われば元々の広がり状態に還元される。このベンダブル装置をスライド開閉方式の携帯電話に適用すると、携帯電話を開いた時マイクがある部分が所定角度折れ曲がるようにできる。
2010526509.tif 000002
【特許請求の範囲】
【請求項１】
上部ブラケットと、
前記上部ブラケットに回転可能に軸結合された下部ブラケットと、
前記上部ブラケットに回転可能に軸結合になると同時に前記下部ブラケットの一部とかみ合って、外部に露出されたスイングリンク突起に加えられた外力によって前記上部ブラケットに対して自ら回転しながら前記下部ブラケットが前記上部ブラケットに結合された軸を中心に所定角度程度回転するように強制するスイングリンクを具備することを特徴とするベンダブル装置。
【請求項２】
前記上部ブラケットと前記下部ブラケットとの間に配置されて、これら二つのブラケットを反対方向に押し出す力を加えるスプリング部材をさらに具備することを特徴とする請求項１に記載のベンダブル装置。
【請求項３】
前記上部ブラケットに前記下部ブラケットを軸結合させるために、これら二つのブラケットに設けられた貫通孔に挿入される結合軸をさらに具備することを特徴とする請求項１に記載のベンダブル装置。
【請求項４】
前記上部ブラケットと前記下部ブラケットのうちでいずれか一方には結合孔が形成されて、残り一方には前記結合孔に対応する位置に軸が形成されて、前記結合孔に前記軸が挿入される形態で前記上部ブラケットに前記下部ブラケットが軸結合されることを特徴とする請求項１に記載のベンダブル装置。
【請求項５】
前記スイングリンクの胴体に形成されたスイングリンク溝に前記下部ブラケットの軸が挿入される形態で前記スイングリンクと前記下部ブラケットがかみ合って、前記スイングリンクの胴体と併せて回転する前記スイングリンク溝に前記下部ブラケットの軸が強制的にガイドされることで、前記下部ブラケットが前記所定角度程度回転することを特徴とする請求項１に記載のベンダブル装置。
【請求項６】
前記下部ブラケットの回転角度は、前記スイングリンク溝の長さまたは前記下部ブラケットが前記所定角度程度回転すると前記上部ブラケットの一部分に触れ合って、それ以上回転することができない構造によって制限されることを特徴とする請求項１または５に記載のベンダブル装置。
【請求項７】
前記ベンダブル装置は、前記スイングリンクの回転角度によって前記下部ブラケットが前記上部ブラケットに対して離れることなく一直線をなす閉鎖状態と前記所定角度程度離れるベンダブル状態を維持することができるし、前記閉鎖状態と前記ベンダブル状態との間の状態遷移は、可逆的であることを特徴とする請求項１に記載のベンダブル装置。
【請求項８】
前記閉鎖状態と前記ベンダブル状態で前記スイングリンクが回転しない限り前記下部ブラケットは、回転運動が不可能で遊びがない状態を維持することを特徴とする請求項７に記載のベンダブル装置。
【請求項９】
同一な構成の前記ベンダブル装置二つがバー形状のリンク部材を介して、一体で結合されたことを特徴とする請求項１に記載のベンダブル装置。
【請求項１０】
前記リンク部材は、前記二つのベンダブル装置それぞれにある第１及び第２上部ブラケットを連結する第１リンク部材と第１及び第２下部ブラケットを連結する第２リンク部材のうちで少なくともいずれか一つを含むことを特徴とする請求項９に記載のベンダブル装置。
【請求項１１】
前記スイングリンクは、胴体の側面で前記上部ブラケットと前記下部ブラケットの外部に露出されるように延長される突起を通じて前記外力が加えられることを特徴とする請求項１に記載のベンダブル装置。
【請求項１２】
前記上部ブラケットと前記下部ブラケットには他の物体と螺合するための結合孔がそれぞれ設けられていることを特徴とする請求項１に記載のベンダブル装置。
【請求項１３】
上部ブラケットと、
前記上部ブラケットに回転可能に軸結合された下部ブラケットと、
前記上部ブラケットに回転可能に軸結合されて、外部に露出されるスイングリンク突起を含むスイングリンクと、
前記下部ブラケットと前記スイングリンクとの間に位置して、両側端部が前記下部ブラケットと前記スイングリンクに回転可能にそれぞれ軸結合されたリンクを具備して、
前記スイングリンクは、前記スイングリンク突起を通じて自分に加えられた外力によって前記上部ブラケットに対して回転しながら前記リンクを引っ張り上げて、それによって前記下部ブラケットが前記リンクに引かれて行きながら前記上部ブラケットに対して所定角度程度回転することを特徴とするベンダブル装置。
【請求項１４】
前記上部ブラケット、前記下部ブラケット、前記スイングリンク、前記リンクを一対ずつ具備して、前記一対の下部ブラケットは、バータイプリンク部材を介して一体で結合されて、前記リンク部材の両端にベンダブル装置がそれぞれ一つずつ設けられた構造であることを特徴とする請求項１３に記載のベンダブル装置。
【請求項１５】
前記スイングリンクは、前記外力を伝達されるために胴体の側面で前記上部ブラケットと前記下部ブラケットの外部に露出されるように延長される突起を具備することを特徴とする請求項１３または１４に記載のベンダブル装置。
【請求項１６】
バー形状の胴体の左右両側面に結合軸が突き出されて、前記胴体の左右両側端部角近傍に一対の下部ブラケットが一体で固定されて、前記下部ブラケットは前記胴体に固定されながら前記胴体の底面と所定角度傾いた上面を有する下敷部とこの下敷部の外側角で下方に直立した突起部を含む下部ブラケット部と、
前記胴体両側の前記結合軸に回転可能にそれぞれ結合される一対の上部ブラケットを含んで、前記上部ブラケットは前記胴体の側面に対面しながら前記結合軸に軸結合する結合部と前記下部ブラケットの前記下敷部の上面と前記所定角度程度傾くように対面しながら前記下部ブラケットの回転角度を制限する回転制限部を含む上部ブラケット部を具備して、
前記突起部に外力が加えられれば前記下部ブラケットは、前記上部ブラケットに対して前記所定角度程度回転することを特徴とするベンダブル装置。
【請求項１７】
請求項１〜１６のいずれかに定義されたベンダブル装置と、
前記ベース部の長さ方向に延長されるガイド溝が設けられて、前記溝の下側端には前記ガイド溝よりさらに深い深さのベンダブル係止溝が設けられて、下端部は傾斜面であるベース部と、
前記ベンダブル装置の前記上部ブラケットと前記下部ブラケットにそれぞれ固定されて、一体で動く上部ムービング部と下部ムービング部を含んで、前記ベース部と対面しながらスライド移動が可能に結合されるムービング部を具備して、
前記ベンダブル装置のスイングリンク突起が前記ガイド溝にある間には前記下部ムービング部が前記上部ムービング部に対して一直線上にひろがった閉鎖状態(広がり状態)を維持して、前記ムービング部を下に引く外力によって前記ベンダブル装置が下方にスライド移動して、前記スイングリンク突起が前記ベンダブル係止溝内に進入した後、その中に閉じこめられてそれ以上進むことができないことによって、前記スイングリンクが第１方向に回転しながら前記下部ブラケットが前記上部ブラケットに対して前記傾斜面側に所定角度程度回転するように強制して、その結果前記下部ブラケットと一体で動く前記下部ムービング部がベンダブル状態で遷移されることを特徴とするベンダブルスライド開閉型装置。
【請求項１８】
上に押し上げる外力によって前記スイングリンク突起が前記ベンダブル係止溝を抜け出て、前記ガイド溝に乗りこむ過程で前記スイングリンク突起に加えられる力によって、前記スイングリンクが前記第１方向の反対方向に前記所定角度程度回転するように強制されて、その結果前記下部ブラケットと一体で動く前記下部ムービング部が前記閉鎖状態(広がり状態)に還元されることを特徴とする請求項１７に記載のベンダブルスライド開閉型装置。
【請求項１９】
前記ベース部の左右両側には、前記ガイド溝と並んでガイドレールがさらに設けられて、前記上部ムービング部の底面の両側に固定されてスライダーに固定されて、前記スライダーが前記ガイドレールにスライド可能に結合されることを特徴とする請求項１７に記載のベンダブルスライド開閉型装置。
【請求項２０】
一方のアームは前記上部ムービング部の底面に結合されて、他方のアームは前記ベース部の上面に結合されて、前記ムービング部が下または上にスライド運動をする時、最後まで引き下すか、または押し上げる力を提供するトーションスプリングをさらに具備することを特徴とする請求項１７に記載のベンダブルスライド開閉型装置。
【請求項２１】
前記ガイド溝と前記ベンダブル係止溝は、前記ベース部の左右両方に側面角と並んで設けられることを特徴とする請求項１７に記載のベンダブルスライド開閉型装置。
【請求項２２】
前記上部ブラケットと前記下部ブラケットは、前記上部ムービング部及び前記下部ムービング部とそれぞれ一体で設計されて、前記スイングリンクだけが前記上部ブラケットと前記下部ブラケットに組立てれば良い構造で設計されたことを特徴とする請求項１７に記載のベンダブルスライド開閉型装置。
【請求項２３】
前記ベンダブルスライド開閉型装置は、スライド開閉型携帯電話、ＰＤＡ、スマートホン、ノートブックのうちのいずれかひとつであることを特徴とする請求項１７に記載のベンダブルスライド開閉型装置。
【発明の詳細な説明】
【技術分野】
【０００１】
本発明は、スライド装置に関するものであり、より詳細には、携帯電話、ＰＤＡ、モバイルＰＣなどのような携帯用機器に適用することができるスライド装置としてベース(base)部材にスライド可能に結合されたムービング(Moving)部材が開かれる時、所定角度程度折れ曲がる構造でなされたベンダブルスライド装置に関するものである。
【背景技術】
【０００２】
例えば、携帯電話を開閉方式で区分した時、フォルダ型とスライド型が広く普及されている。フォルダ型携帯電話は、フォルダ部とベース部が、畳みが可能に結合されてフォルダ部を開いた時これら二つの部分は一直線をなすものではなく、おおよそ１４０-１６０度程度だけ開かれてベンダブル状態（折曲げ可能）をなす。このようなベンダブル状態である時、ベース部下端に位置したマイクとフォルダ部上端に位置したスピーカーが使用者の口と耳に自然に身近に位置するようになる。
【０００３】
これに比べて、従来のスライド型携帯電話は、ベース部とこれに対面結合されてこれの案内を受けてスライド運動をするムービング部で構成されるが、ムービング部を押し上げる時ムービング部は、一直線上でスライド運動をするのでムービング部が開かれた状態になっても、携帯電話の長さだけが増えるだけで、ベース部とムービング部のなす角度は１８０度になる。したがって、スライド型携帯電話はフォルダ型携帯電話に比べて開き状態でマイクとスピーカーが使用者の口と耳に不十分に身近に位置するようになる。すなわち、スライド型携帯電話はスピーカーを使用者の耳に身近に位置させるとマイクはその使用者の口からはフォルダ型携帯電話に比べてさらに遠く離れるようになる。このような点のために使用者はもう少し大きい音で通話をしなければならない。
【０００４】
一方、最近ではモバイルフォンを利用してテレビ放送や動画を視聴する場合が頻繁である。画面の角度を変更させないで横表示をするためには携帯電話を横に立てなければならない。例えば、テーブルや机で長時間視聴しようとすると、携帯電話をテーブル面上に横に立てておいて視聴することが便利である。従来のスライド型携帯電話の場合ベース部とムービング部が１８０度をなすので、横に立てることはできても安定的ではなくて、ちょっとした搖れにも易しく倒れる。これに比べてフォルダ型携帯電話は、ベース部とフォルダ部がベンダブル状態をなすので横に立てれば安定的な姿勢を取る。
【０００５】
開閉の便利さのためにフォルダ型携帯電話に比べてスライド型携帯電話をさらに愛用する使用者らが多いが、一方ではスライド型携帯電話はフォルダ型携帯電話が有する長所、すなわち、マイクとスピーカーが使用者の口と耳にさらに近く位置することができる点と携帯電話を横に立てる時より安定的な姿勢を取ることができないという点で補完が必要である。このような点はスライド開閉メカニズムを採用する他の装置でも共に考慮される必要がある。
【発明の概要】
【発明が解決しようとする課題】
【０００６】
本発明の目的は、拘束状態では閉まっていて解除状態では所定角度離れる動作メカニズムを有して、スライド開閉メカニズムを採用する装置に適用されて、ムービング部がベース部の案内を受けてスライド運動をして開かれれば、そのムービング部が所定角度程度折れて、反対方向へのスライド運動をするとそのムービング部の折れた部分がひろがるようにするベンダブル装置(部品)を提供することにある。
【０００７】
本発明の他の目的は、前記ベンダブル装置をスライド型携帯電話に適用して、ムービング部を開いた時は、ムービング部の一部がベース部に対して折れた状態になって、ムービング部を閉めた時にはムービング部全体が一直線となるように拡がって、ベース部と並んでいるような形態になるベンダブルスライド型携帯電話を提供することにある。
【課題を解決するための手段】
【０００８】
前記のような目的を達成するための本発明の一側面によると、上部ブラケットと、前記上部ブラケットに回転可能に軸結合された下部ブラケットと、前記上部ブラケットに回転可能に軸結合になると同時に前記下部ブラケットの一部とかみ合って、外部に露出されたスイングリンク突起に加えられた外力によって前記上部ブラケットに対して自ら回転しながら前記下部ブラケットが前記上部ブラケットに結合された軸を中心に所定角度程度回転するように強制するスイングリンクを具備することを特徴とするベンダブル装置が提供される。
【０００９】
前記ベンダブル装置は、前記上部ブラケットと前記下部ブラケットとの間に配置されて、これら二つのブラケットを反対方向に押し出す力を加えるスプリング部材をさらに具備することが望ましい。また、前記ベンダブル装置は、前記上部ブラケットに前記下部ブラケットを、軸結合させるために、これら二つのブラケットに設けられた貫通孔に挿入される結合軸をさらに具備することが望ましい。
【００１０】
上部ブラケットと下部ブラケットとの間の軸結合のために、前記上部ブラケットと前記下部ブラケットのうちでいずれか一方には結合孔が形成されて、残り一方には前記結合孔に対応する位置に軸が形成されて、前記結合孔に前記軸が挿入される形態で前記上部ブラケットに前記下部ブラケットが軸結合をなす。
【００１１】
前記下部ブラケットの回転のために、前記スイングリンクの胴体に形成されたスイングリンク溝に前記下部ブラケットの軸が挿入される形態で前記スイングリンクと前記下部ブラケットがかみ合っている。このような結合によって、 前記スイングリンクの胴体と併せて回転する前記スイングリンク溝に前記下部ブラケットの軸が強制的にガイドされることで, 前記下部ブラケットが前記所定角度程度回転する。この時、 前記下部ブラケットの回転角度は、前記スイングリンク溝の長さまたは前記下部ブラケットが前記所定角度程度回転すると前記上部ブラケットの一部分に触れ合って、それ以上回転することができないようになされた構造によって制限されるようにすることが望ましい。
【００１２】
前記ベンダブル装置は、前記スイングリンクの回転角度によって前記下部ブラケットが前記上部ブラケットに対して離れることなしに一直線をなす閉鎖状態と前記所定角度程度離れるベンダブル状態を維持することができるし、前記閉鎖状態と前記ベンダブル状態との間の状態遷移は、可逆的であることが望ましい。前記閉鎖状態と前記ベンダブル状態で前記スイングリンクが回転しない限り前記下部ブラケットは、回転運動が不可能で遊びがない状態を維持することが望ましい。
【００１３】
前記ベンダブル装置の組み立て性を良くするために、 同一な構成の前記ベンダブル装置二つがバー形状のリンク部材を介して、一体で結合された構造で作ることができる。この場合、 前記リンク部材は、前記二つのベンダブル装置それぞれにある第１及び第２上部ブラケットを連結する第１リンク部材と第１及び第２下部ブラケットを連結する第２リンク部材のうちで少なくともいずれか一つを含む。
【００１４】
前記ベンダブル装置が、閉鎖状態とベンダブル状態間の状態遷移のためには外部で力が加えられなければならない。このような外力は、スイングリンクに加えられる必要がある。前記スイングリンクは、外力を伝達されるために、胴体の側面で前記上部ブラケットと前記下部ブラケットの外部に露出されるように延長される突起を具備して、この突起を通じて前記外力が加えられる構造を有する。
【００１５】
前記ベンダブル装置は、ベンダブル運動を行う一部品として他の機器に適用されることができる。この時、その他の機器との結合のために、 前記上部ブラケットと前記下部ブラケットには他の物体と螺合するための結合孔がそれぞれ設けられていることが望ましい。
【００１６】
一方、前記ベンダブル装置は変形実施ができる。一例として、上部ブラケットと、前記上部ブラケットに回転可能に軸結合された下部ブラケットと、前記上部ブラケットに回転可能に軸結合されて、外部に露出されるスイングリンク突起を含むスイングリンクと、前記下部ブラケットと前記スイングリンクとの間に位置して、両側端部が前記下部ブラケットと前記スイングリンクに回転可能にそれぞれ軸結合されたリンクを具備して、前記スイングリンクは、前記スイングリンク突起を通じて自分に加えられた外力によって前記上部ブラケットに対して回転しながら前記リンクを引っ張り上げて、それによって前記下部ブラケットが前記リンクに引かれて行きながら前記上部ブラケットに対して所定角度程度回転することを特徴とするベンダブル装置が提供される。
【００１７】
このベンダブル装置は、前記上部ブラケット、前記下部ブラケット、前記スイングリンク、前記リンクを一対ずつ具備して、前記一対の下部ブラケットは、バータイプリンク部材を介して一体で結合されて、前記リンク部材の両端にベンダブル装置がそれぞれ一つずつ設けられた構造で設計されることができる。
【００１８】
前記ベンダブル装置において、前記スイングリンクは、前記外力を伝達されるために胴体の側面で前記上部ブラケットと前記下部ブラケットの外部に露出されるように延長される突起を具備する。
【００１９】
また他の変形実施例として、バー形状の胴体の左右両側面に結合軸が突き出されて、前記胴体の左右両側端部角近傍に一対の下部ブラケットが一体で固定されて、前記下部ブラケットは前記胴体に固定されながら前記胴体の底面と所定角度傾いた上面を有する下敷部とこの下敷部の外側角で下方に直立した突起部を含む下部ブラケット部と、及び 前記胴体両側の前記結合軸に回転可能にそれぞれ結合される一対の上部ブラケットを含んで、前記上部ブラケットは前記胴体の側面に対面しながら前記結合軸に軸結合する結合部と前記下部ブラケットの前記下敷部の上面と前記所定角度程度傾くように対面しながら前記下部ブラケットの回転角度を制限する回転制限部を含む上部ブラケット部を具備して、前記突起部に外力が加えられれば前記下部ブラケットは、前記上部ブラケットに対して前記所定角度程度回転することを特徴とするベンダブル装置が提供される。
【００２０】
一方、前記ベンダブル装置は、例えば携帯電話、ＰＤＡ、スマートホン、ノートブックなどを含んでスライド開閉方式を採用する電子機器に適用するとベンダブルスライド型機器を具現することができる。このベンダブルスライド型機器は、上の上述の請求項に定義されたベンダブル装置と、前記ベース部の長さ方向に延長されるガイド溝が設けられて、前記溝の下端には前記ガイド溝よりさらに深い深さのベンダブル係止溝が設けられて、下端部は傾斜面であるベース部と、及び前記ベンダブル装置の前記上部ブラケットと前記下部ブラケットにそれぞれ固定されて、一体で動く上部ムービング部と下部ムービング部を含んで、前記ベース部と対面しながらスライド移動が可能に結合されるムービング部を具備して、前記ベンダブル装置のスイングリンク突起が前記ガイド溝にある間には前記下部ムービング部が前記上部ムービング部に対して一直線上にひろがった閉鎖状態(広がり状態)を維持して、前記ムービング部を下に引く外力によって前記ベンダブル装置が下方にスライド移動して、前記スイングリンク突起が前記ベンダブル係止溝内に進入した後、その中に閉じこめられてそれ以上進むことができないことによって、前記スイングリンクが第１方向に回転しながら前記下部ブラケットが前記上部ブラケットに対して前記傾斜面側に所定角度程度回転するように強制して、その結果前記下部ブラケットと一体で動く前記下部ムービング部がベンダブル状態で遷移されることを特徴とする。
【００２１】
このベンダブルスライド型電子機器において、上に押し上げる外力によって前記スイングリンク突起が前記ベンダブル係止溝を抜け出て、前記ガイド溝に乗りこむ過程で前記スイングリンク突起に加えられる力によって、前記スイングリンクが前記第１方向の反対方向に前記所定角度程度回転するように強制されて、その結果前記下部ブラケットと一体で動く前記下部ムービング部が前記閉鎖状態(広がり状態)に還元される。
【００２２】
前記ベース部の左右両側には、前記ガイド溝と並んでガイドレールがさらに設けられて、前記上部ムービング部の底面の両側に固定されてスライダーに固定されて、前記スライダーが前記ガイドレールにスライド可能に結合されることが望ましい。
【００２３】
また、前記電子機器はスライド運動をより円滑に行うために、一方のアームは前記上部ムービング部の底面に結合されて、他方のアームは前記ベース部の上面に結合されて、前記ムービング部が下または上にスライド運動をする時、最後まで引き下すか、または押し上げる力を提供するトーションスプリングをさらに具備することが望ましい。
【００２４】
前記電子機器において、前記ガイド溝と前記ベンダブル係止溝は、前記ベース部の左右両方に側面角と並んで設けられることが望ましい。
【００２５】
前記電子機器を製造するにおいて、組立工数を減らすために、前記上部ブラケットと前記下部ブラケットは、前記上部ムービング部及び前記下部ムービング部とそれぞれ一体で設計されて、前記スイングリンクだけが前記上部ブラケットと前記下部ブラケットに組立てれば良い構造で設計されたことが望ましい。
【００２６】
このようなベンダブル装置をスライド開閉型装置の代表的な例であるスライド型携帯電話に適用すると、その携帯電話を開いた時にはそのムービング部が所定角度程度折れ曲がるようにして、まるでフォルダ型携帯電話の場合のように携帯電話に内蔵されたマイクとスピーカーが使用者の口と耳により近接されることができるようになるし、携帯電話が横にも自立が可能でＤＭＢ視聴が便利になるメカニズムを提供するものである。
【００２７】
キーパッドと画面が、それぞれ基板部材とスライディング部材に別に配置されたスライド型電子機器に適用されて、キーパッドが開放された状態で画面を使用可能となるように傾いて立てることができる。
【発明の効果】
【００２８】
本発明は、スライド方式で開閉する携帯電話に適用されて、その携帯電話を開いた時フォルダ方式の携帯電話のように所定角度程度折れ曲げることができる。それで、開閉が便利なスライド方式の携帯電話の長所とマイクとスピーカーが使用者の口と耳に身近に位置するフォルダ方式の携帯電話の長所をすべて取り揃えることができる。また、携帯電話を横に立てた時安定的な姿勢を取るようにすることができる。これは長時間携帯電話を通じたＴＶ視聴や動画感想をする場合に使用者が携帯電話を９０度横にして持っていなくても良いようにしてくれる点で便利である。
【００２９】
ひいては、本発明は、小型ＰＤＡやノートブックのような機器にも適用されることができる。基板部を底に付けた状態で画面を所定角度傾くように立てることができるので、キーボード作業などが便利である。
【図面の簡単な説明】
【００３０】
図１ないし図３は、本発明の望ましい実施例によるベンダブルスライド型携帯電話１００を示す。
【００３１】
図１の(a)(b)(c)は、閉鎖状態、開き状態及びベンダブル状態にある組み立てられたその携帯電話１００の外観を示して、図２の(a)(b)(c)は図１の各状態に対応する側断面図であり、図３はその携帯電話１００の分解斜視図である。
【００３２】
図４と図５は、本発明の第１実施例によるベンダブル装置１４０の分解斜視図と組み立て状態図である。
【００３３】
図６は図１の切断線Ａ-Ａに沿って切った断面を示した断面斜視図である。
【００３４】
【００３５】
図７の(a)は、図１に示されたベンダブルスライド型携帯電話１００が閉鎖状態にある時上部ムービング部１２０と下部ムービング部１３０を除去した様子を示した斜視図であり、図７の(b)は開き状態で上部ムービング部１２０と下部ムービング部１３０を分解した様子を示した分解斜視図である。
【００３６】
図８の(a)は図１に示されたベンダブルスライド型携帯電話１００が閉鎖状態にある時ベース部１１０を除去した様子を示した斜視図であり、図８の(b)は開き状態で下部ムービング部１３０がベンダブル状態になされた様子を示した斜視図である。
【００３７】
図９の(a)(b)(c)は、図１の切断線Ｂ-Ｂ、Ｃ-Ｃ、Ｄ-Ｄに沿って切った断面を示した断面図である。
【００３８】
図１０は本発明の第２実施例によるベンダブル装置２４０の分解斜視図である。
【００３９】
図１１の(a)と(b)は、それぞれ図１０のベンダブル装置２４０が閉鎖状態とベンダブル状態である時の組み立て状態図である。
【００４０】
図１２は本発明の第３実施例によるベンダブル装置３４０の分解斜視図である。
【００４１】
図１３の(a)と(b)は、それぞれ図１２のベンダブル装置３４０が閉鎖状態とベンダブル状態である時の組み立て状態図である。
【００４２】
図１４の(a)(b)(c)は、図１２のベンダブル装置３４０がベンダブルスライド型携帯電話１００に装着された時図１の切断線Ｂ-Ｂ、Ｃ-Ｃ、Ｄ-Ｄに沿って切った断面を示した断面図である。
【００４３】
図１５の(a)と(b)は、それぞれ本発明の第４実施例によるベンダブル装置４４０の分解斜視図と組み立て状態図である。
【００４４】
図１６の(a)と(b)は、図１５のベンダブル装置４４０がベンダブルスライド型携帯電話１００に装着された時図１の切断線Ｂ-ＢとＤ-Ｄに沿って切った断面を示した断面図である。
【００４５】
図１７の(a)と(b)は、それぞれ本発明の第５実施例によるベンダブル装置５４０の分解斜視図と組み立て状態図である。
【００４６】
図１８の(a)と(b)は、それぞれ本発明の第６実施例によるベンダブル装置６４０の分解斜視図と組み立て状態図である。
【００４７】
図１９の(a)と(b)は、それぞれ本発明の第７実施例によるベンダブル装置７４０の分解斜視図と組み立て状態図である。
【００４８】
図２０の(a)と(b)は、それぞれ本発明の第８実施例によるベンダブル装置８４０の分解斜視図と組み立て状態図である。
【００４９】
図２１は、第９実施例によるベンダブル装置９４０の分解斜視図であり、図２２の(a)と(b)は、組み立てられたベンダブル装置９４０の閉鎖状態と開き状態の様子をそれぞれ示して、図２３の(a)と(b)は、ベンダブル装置９４０の閉鎖状態とベンダブル状態間の状態遷移を説明するための断面図である。
【００５０】
図２４は、第１０実施例によるベンダブル装置１０４０の分解斜視図であり、図２５の(a)と(b)は、組み立てられたベンダブル装置１０４０の閉鎖状態と開き状態の様子をそれぞれ示して、図２６の(a)と(b)はベンダブル装置１０４０の閉鎖状態とベンダブル状態間の状態遷移を説明するための断面図である。
【００５１】
図２７はベンダブルスライド型携帯電話のベース部の他の実施例を示す。
【発明を実施するための最良の形態】
【００５２】
(１)第１実施例
【００５３】
以下では添付した図面を参照して、本発明をより具体的に説明する。図１ないし図３は、本発明の望ましい実施例によるベンダブルスライド型携帯電話１００を示す。図１の(a)(b)(c)は、ベンダブルスライド型携帯電話１００の閉鎖状態、開き状態及びベンダブル状態をそれぞれ示した斜視図であり、図２の(a)(b)(c)は図１の各状態に対応する側断面図であり、図３はベンダブルスライド型携帯電話１００の分解斜視図である。
【００５４】
この携帯電話１００は、ベース部１１０とこれにスライド可能に結合された上部ムービング部１２０と下部ムービング部１３０を含む。例えば、ベース部１１０には一番上にスピーカー(図示せず)とその下に画面(図示せず)が配置されて、下部ムービング部１３０の一番下側にはスピーカー(図示せず)とその上方にキーパッド(図示せず)が配置される。上部ムービング部１２０と下部ムービング部１３０は、一緒に移動するように一列で連結される。この携帯電話１００は、開くか、または閉める時三段階の状態変化を経る。携帯電話１００を開く時は、二つのムービング部１２０、１３０がベース部１１０を最大に押し上げて、ベース部１１０と完全に重ねられた状態(以下、‘閉鎖状態’と称する)から始めて、二つのムービング部１２０、１３０を最大で引き下して下部ムービング部１３０が折れ曲がる直前の状態(以下、‘開き状態’と称する)を経て、その開き状態で下部ムービング部１３０が所定角度(θ)程度折れて上部ムービング部１２０と下部ムービング部１３０がしなった状態(以下、‘ベンダブル状態’と称する)で順次な状態変化を経る。携帯電話１００を閉める時は、開ける時とは反対の状態変化を経る。閉鎖状態で開き状態に変わるようにするためには、使用者がムービング部１２０、１３０に引き下す力を加えなければならない。開き状態からベンダブル状態に変わるようにすることは後述するベンダブル装置１４０が提供する弾性力及び/または使用者が加えた外力である。
【００５５】
ベース部１１０は、ベース本体１１０aとガイド板１１０ｂを含む。ベース本体１１０aは上面の縁周り内にガイド板１１０ｂを収納するためのシンク１１１aが形成されて、そのシンク１１１aの下側(参照で、以下では上部ムービング部１２０で下部ムービング部１３０に向ける方向を意味する)側壁越しには傾斜面１１２は設けられる。ガイド板１１０ｂの左右側面に沿って顎を形成して、ガイドレール１１５が設けられて、その左右側面と少し離れて並んで所定長さのガイド溝１１４aが形成されている。ガイド溝１１４aはガイド板１１０ｂの下端面辺りでさらに深く掘られる。ガイド板１１０ｂが、例えば螺合でベース本体１１０aに固定されれば、ガイド溝１１４aの傾斜面１１２側の側壁とシンク１１１aの側壁及び底面で取り囲まれたベンダブル係止溝１１４ｂが設けられる。ベンダブル係止溝１１４ｂは、ガイド溝１１４aより深くて側面で見る時２段溝である。ベース部１１０と上部ムービング部１２０との間にはトーションスプリング１１６が配置される。このトーションスプリング１１６の一方のアーム１１７aは上部ムービング部１２０に固定されて、他方のアーム１１７bはベース部１１０に固定される。
【００５６】
上部ムービング部１２０は、その底面の左右両側にスライダー１２２が、例えば螺合で固定されて、そのスライダー１２２はガイド板１１０ｂの左右側面に設けられるガイドレール１１５にスライド可能に結合される。また、上部ムービング部１２０は下部ムービング部１３０と一列で連結されて、スライド運動時に常に一体で動く。この上部ムービング部１２０と下部ムービング部１３０を一体で連結させてくれるものはまさにベンダブル装置１４０である。上部ムービング部１２０の下端部と下部ムービング部１３０の上端部の左右両側には対面する装着溝１２６、１３２がそれぞれ設けられて、両方の各装着溝対１２６、１３２が形成する空間にベンダブル装置１４０が一つずつ設置される。
【００５７】
ベンダブル装置１４０は、上部ブラケット１４２と下部ブラケット１４４及びこれらを軸回転が可能に結合させる結合軸１４７、そして、これら二つのブラケット１４２、１４４とかみ合って、その二つのブラケット１４２、１４４のベンダブル動作と広がり動作を案内する(拘束する)スイングリンク１４６を含む。上部ブラケット１４２と下部ブラケット１４４との間に配置されて、これら二つのブラケット１４４が折れ曲がる方向に力を加えるトーションスプリング１４８をさらに含むことができる。上部ブラケット１４２と下部ブラケット１４４は、上部ムービング部１２０の下端部と下部ムービング部１３０の上端部にそれぞれねじ１２４と１３４で固定される。このように固定されれば、ベンダブル装置１４０はガイド溝１１４a上に整列される。
【００５８】
図４と図５を参照して、第１実施例によるベンダブル装置１４０の構成をもう少し具体的に説明する。スイングリンク１４６は、おおよそ平たい楕円柱模様の胴体１４６ｂの一側面にスイングリンク突起１４６aが外方へ延長されて、胴体１４６ｂの一側面にはガイド溝１４６dが形成されて、反対側面の縁(スイングリンク突起１４６aと一番遠い支点)にはスイングリンク軸１４６ｃが直立されている。ガイド溝１４６は、胴体１４６ｂの中心部を通過しながら長さ方向に延長されるが、一側端は少し曲がった形状である。上部ブラケット１４２は、おおよそ六面体の胴体１４２aの一側面には収容空間が設けられて、その内にスイングリンク１４６と下部ブラケット胴体１４４aの垂直部が収納されて、その収容空間の底にはスイングリンク軸１４６ｃが挿入される締結溝１４２ｄと結合軸１４７が締結される締結孔１４２cが形成されて、反対側側面は１段の顎が形成されていて、その下端面の上側を下部ブラケット胴体１４４aの水平部が覆う時トーションスプリング１４８を収容することができる空間が設けられることができる構造である。下部ブラケット１４４は、水平部とこれの縁で直立延長された垂直部が一体をなす胴体部１４４aを含んで、前記垂直部には結合軸１４７が挿入される締結孔１４４cとスイングリンク溝１４２ｄに挟まれる下部ブラケット軸１４４ｂが形成される。
【００５９】
図５に示されるところのように、組み立てられたベンダブル装置１４０は、上部ブラケット１４２と下部ブラケット１４４との間にスイングリンク１４６がスイング可能に配置されて、スイングリンク突起１４６aがベンダブル装置１４０の底面で斜めに露出されて、トーションスプリング１４８の両アームはそれぞれ上部ブラケット１４２と下部ブラケット１４４の側面にぶつかって二つのブラケット１４２の間を離れるようにする方向で力を加える。
【００６０】
図６ないし図８は、ベンダブル装置１４０が携帯電話１００に装着された様子をもう少し具体的に示す。図６は、図１の切断線Ａ-Ａに沿って見た断面状態を示すが、組み立てられたベンダブル装置１４０がベンダブル状態の場合である。また、図７の(a)は図１に示されたベンダブルスライド型携帯電話１００が閉鎖状態にある時上部ムービング部１２０と下部ムービング部１３０を除去した様子を示した斜視図であり、図７の(b)は開き状態で上部ムービング部１２０と下部ムービング部１３０を分解した様子を示した分解斜視図である。図８の(a)は、図１に示されたベンダブルスライド型携帯電話１００が閉鎖状態にある時ベース部１１０を除去した様子を示した斜視図であり、図８の(b)は開き状態で下部ムービング部１３０がベンダブル状態でなされた様子を示した斜視図である。上部ムービング部１２０はスライダー１２０とベンダブル装置１４０の上部ブラケット１４２に固定されて、下部ムービング部１３０は下部ブラケット１４４に固定される。それで、使用者が二つのムービング部１２０、１３０のうち少なくともいずれか一つに押し上げるか、または引き下す外力を加えればスライダー１２２、ベンダブル装置１４０、上部ムービング部１２０、下部ムービング部１３０は、常に一体になってスライド運動をする。また、ベンダブル装置１４０はスイングリンク突起１４６aがベンダブル係止溝１１４ｂ内に押され込んだ状態のみで下部ブラケット１４４が折れ曲がるようになって(この時、下部ムービング部１３０も折れ曲がるようになる)、外力が上部ムービング部１２０を押し上げれば、そのスイングリンク突起１４６aがベンダブル係止溝１１４ｂを抜け出しながらより深さが浅いガイド溝１１４aの底面に押されて、スイングリンク１４６全体が反時計方向に回転するようになり、これによって下部ブラケット１４４(下部ムービング部１３０がベンダブル状態で広がり状態に原状復帰される。参照で、このようなスライド運動で、トーションスプリング１１６は、外力によって始まった上部ムービング部１２０のスライド運動に力を加えてくれる。それで、使用者が最後まで押し上げるか、または引き下げなくても、上部ムービング部１２０などが最後まで押し上げられるか、または引き下げられる。
【００６１】
ベンダブル装置１４０の折れ曲がる動作と広がり動作を、図９を参照してもう少し詳しく説明する。図９の(a)(b)(c)は、図１の切断線Ｂ-Ｂ、Ｃ-Ｃ、Ｄ-Ｄに沿って切った断面をそれぞれ示した断面図として、携帯電話１００が閉鎖状態、開き状態及びベンダブル状態である時ベース部１１０に対するベンダブル装置１４０の動作内容を説明するための断面図である。
【００６２】
先ず、図９の(a)に示された‘閉鎖状態’ではベンダブル装置１４０がガイド溝１１４aの一番上側に位置する。この時、スイングリンク突起１４６aはガイド溝１１４aの底面によって支持されて、４時方向に向ける。そして、下部ブラケット軸１４４ｂは、スイングリンク溝１４２ｄの下端に設けられた曲がった溝内に位置する。この状態では、トーションスプリング１４８が上部及び下部ブラケット１４２、１４４を反対方向に押す力が作用するが、下部ブラケット軸１４４ｂがスイングリンク溝１４６の曲がった溝の顎にかかって前記力を堪え出す。その結果、スイングリンク１４６は回転しないで、そのまま維持されて、それによって下部ブラケット１４４は、上部ブラケット１１２に対して軸回転ができず、ベンダブル装置１４０の二つのブラケット１４２、１４４は、一直線で‘ひろがり状態’を維持する。さらに、スイングリンク突起１４６aがガイド溝１１４aの底面によってそれ以上時計方向に回転することができないように拘束されるので、‘ひろがり状態’はさらに安定的に維持される。結局、図９の(a)では、上部ムービング部１２０と下部ムービング部１３０はベース部１１０に対しては‘閉鎖状態’にあって、下部ムービング部１３０は上部ムービング部１２０に対して‘ひろがり状態’を維持する。
【００６３】
図９の(b)に示された‘開き状態’はベンダブル装置１４０がガイド溝１１４aの一番下まで下ってベンダブル状態に変わるすぐ直前の状態である。‘閉鎖状態’からこの‘開き状態’へ履行する過程でベンダブル装置１４０の各構成要素の間の結合関係に変化が全然なくて、単にベンダブル装置１４０が一体でガイド溝１１４aに沿って下側へ移動のみをするだけで、それによって二つのムービング部１２０、１３０も移動して、下部ムービング部１３０の上端部のみを残しておいて相当部分が露出する。
【００６４】
図９の(c)に示された‘ベンダブル状態’は、‘開き状態’で移動方向(図面では、右側)にずっと加えられる力によって上部ブラケット１４２は移動方向にさらに移動するようになるが、この時スイングリンク突起１４６aは本体部側壁１１１ｂに突き合った状態であるので、それ以上移動方向に進むことはできず、スイングリンク１４６全体が上部ブラケット１４２に軸結合されたスイングリンク軸１４６ｃを中心に時計方向に回転するようになる。このようなスイングリンク１４６の回転過程で、スイングリンク溝１４６は、時計方向に所定角度(θ)程度回転するようになり、それによって下部ブラケット軸１４４ｂは、スイングリンク溝１４６dの曲がった溝から抜け出て、そのスイングリンク溝１４６dの上端まで移動するが、このような動きの過程で下部ブラケット軸１４４ｂはスイングリンク溝１４６dの側壁によって押されて、その垂直方向のレベルが上がるようになる。すなわち、下部ブラケット１４４は結合軸１４７によって上部ブラケット１４２と軸結合された状態で、下部ブラケット軸１４４ｂが上側にレベル上昇をするので、シーソーの原理によって下部ブラケット１４４の水平部は結合軸１４７を中心に時計方向に回転して、その結果、下部ブラケット１４４は上部ブラケット１４２に対して所定角度(θ)折れ曲がるようになる。スイングリンク軸１４６ｃと下部ブラケット軸１４４ｂ間の距離は、閉鎖状態でよりベンダブル状態でさらに短いが、ベンダブル角度θは、この二つの状態でのスイングリンク軸１４６ｃと下部ブラケット軸１４４ｂ間の距離の差に対応する程度許容される。下部ブラケット１４４が折れ曲がることによって、これに結合された下部ムービング部１３０も所定角度(θ)折れ曲がるようになる。このように、下部ブラケット１４４と対面するベース部１１０部分が傾斜面１１２でなされているから許容される。また、このような‘ベンダブル状態’への転移過程でスイングリンク突起１４６aはベンダブル係止溝１１４a内にさらに深く押し込まれて、ほとんど垂直に立てられた状態で本体部側壁１１１ｂに突き合った状態を維持する。この過程でトーションスプリング１４８は、下部ブラケット１４４が折れ曲がることをさらに追動する力を提供する。
【００６５】
このような状態遷移過程は可逆的である。すなわち、ベンダブル状態から開き状態を経て閉鎖状態に変化する過程で起きる諸構成要素の動作は、上で説明した動作を逆に繰り返すことと同じである。ベンダブル状態で、外部で上部ムービング部１２０や下部ムービング部１３０に押し上げようとする力が加えられれば、ベンダブル装置１４０は一体で移動をするようになるが、その過程でスイングリンク突起１４６aはガイド板１１０ｂの側壁１１４cすなわち、ガイド溝１１４aの一番下側角に触れるようになって、ベンダブル装置１４０がさらに押し上げられることによってスイングリンク突起１４６aとスイングリンク胴体１４４ｂはスイングリンク軸１４６aを基準に反時計方向に回転をしながらガイド溝１１４aに乗りこむようになると共に下部ブラケット軸１４４ｂは、反時計方向に回転するスイングリンク溝１４６dに乗って下って曲がった溝の中に入って行って拘束される。これによって下部ブラケット１４４は、結合軸１４７を中心にしてシーソーの原理によって反時計方向に回転して上部ブラケット１４２と再びくっ付いた状態で一列をなす。それによって上部ムービング部１２０と下部ムービング部１３０も一直線上でひろがった状態になって、続いて加えられる力によって上に移動して図９の(a)に示された閉鎖状態で遷移する。
【００６６】
ベンダブル装置１４０の上部ブラケット１４２と下部ブラケット１４４との間の開閉運動(すなわち、折って閉める運動)は、スイングリンク１４６が提供するハンドル役割によってなされるものとして見られる。図９の(c)の‘ベンダブル状態’では下部ブラケット１４４を下から上に力を加えてもスイングリンク１４６が回転しない限りベンダブル状態はそのまま維持される。したがって、このベンダブル装置１４０が携帯電話１００に装着された場合、下部ムービング部１３０に図１の(b)の矢印方向と反対方向の力が加えられると、シーソー原理によって下部ブラケット軸１４４ｂがそのすぐ下に接しているスイングリンク溝１４６dの側壁におおよそ垂直方向に力を伝達するようになり、これによってスイングリンク１４６の回転が誘発されるものではなくて、下部ムービング部１３０はひろがらないでその状態で維持される。ひたすら図１の(a)の矢印方向と反対方向の力(押し上げる力)が加えられる場合のみにスイングリンク１４６が回転して、それによって下部ムービング部１３０もひろがるようになる。ハンドルの支持軸すなわち、スイングリンク軸１４６ｃが上部ブラケット１４２に結合されるものとして示されているものは、例示的なものに過ぎなくて、下部ブラケット１４４に結合される構造でも変更設計されることもできる。
【発明を実施するための形態】
【００６７】
(２)第２実施例
【００６８】
図１０と図１１は、本発明の第２実施例によるベンダブル装置２４０を示す。このベンダブル装置２４０は、上部ブラケット２４２、下部ブラケット２４４、スイングリンク２４６、結合軸２４７を具備するが、これら各構成要素は第１実施例によるベンダブル装置２４０の対応構成要素と構造や結合関係がほとんど同一である。差異点は上部ブラケット２４２と下部ブラケット２４４との間にトーションスプリング１４８の代りにコイルスプリング２４８が配置されるという点である。また、上部ブラケット２４２にはコイルスプリング２４８の安定的な収容のためのスプリング溝２４２aが形成される。下部ブラケット２４４も同じである(図示せず)。
【００６９】
組み立てられたベンダブル装置２４０の動作も第１実施例のベンダブル装置２４０と異なるところがない。すなわち、閉鎖状態ではスイングリンク突起２４６aが４時方向を示す程度に斜めに傾いていることに比べて、ベンダブル状態では６時方向に直立する。閉鎖状態からベンダブル状態に遷移するためには上部ブラケット２４２を動かすことができないように固定させた状態で、下部ブラケット２４４を時計方向に回転させる力が加えられなければならない。ベンダブル装置２４０が携帯電話１００に装着される場合、このような力は第１実施例で説明したところのように使用者が上部及び下部ムービング部１２０、１３０を引き下す力で生じる。この過程でコイルスプリング２４８は、上部ブラケット２４２と下部ブラケット２４４が結合軸２４７を中心に回転して、所定角度(θ)程度離れるように追動する。
【００７０】
(３)第３実施例
【００７１】
図１２と図１３は、第３実施例によるベンダブル装置３４０の分解斜視図と組み立て状態図をそれぞれ示して、図１４はベンダブル装置３４０が携帯電話１００に設置された場合状態遷移過程で起きる動作を説明するための図面である。このベンダブル装置３４０は上部ブラケット３４２と下部ブラケット３４４、そしてスイングリンク３４６を含む点では第１実施例と同じである。しかし、第１実施例とは次のような差異がある。すなわち、i)上部ブラケット３４２と下部ブラケット３４４を軸結合させる手段は別途の結合軸１４７ではなく、下部ブラケット３４４ｂに一体で固定された結合軸３４４ｂという点、ii)スイングリンク３４６が上部ブラケット３４２と下部ブラケット３４４との間ではなく、上部ブラケット３４２の外側に結合されるという点、iii)第２実施例のようにコイルスプリング３４８を採用するという点などである。
【００７２】
具体的に説明すると、上部ブラケット３４２の胴体３４２aの内部底には二つの締結孔３４２ｂ、３４２cが形成される。スイングリンク３４６の平たい胴体３４６aの一側面上部にはスイングリンク軸３４６ｃが垂直延長されて、その横にスイングリンク溝３４６dが胴体３４６ｂの側面から内側に所定長さ(下部ブラケット３４４が所定角度(θ)回転することに対応される長さ)程度掘られた形態で形成されて、胴体３４６ｂの下部にはスイングリンク突起３４６aが延長される。スイングリンク溝３４６dは、開放された入口側で中に入って行きながら細くなって、一番内側に入って行きながら端の部分が少し曲がった形態を取る。下部ブラケット３４４は、胴体３４４aの内面の下端と上端にそれぞれ第１下部ブラケット軸３４４ｂと第２下部ブラケット軸３４４cが垂直延長される。上部ブラケット３４２と下部ブラケット３４４は、また結合時にそれらの間にコイルスプリング３４８を収容することができる空間を提供する構造になる。
【００７３】
上部ブラケット３４２と下部ブラケット３４４は、上部ブラケット３４２の締結孔３４２ｂに第１下部ブラケット軸３４４ｂが挿入されて、下部ブラケット３４４がこの軸を中心に回転運動ができるように結合される。また、スイングリンク軸３４６ｃが上部ブラケット３４２の締結孔３４２cに挿入されて、スイングリンク３４６がスイングリンク軸３４６ｃを中心に回転運動が可能に結合される。ひいては、第２下部ブラケット軸３４４cがスイングリンク溝３４６d内に位置する。コイルスプリング３４８は、上部ブラケット３４２と下部ブラケット３４４の向かい合う内壁に閉じこめられる。
【００７４】
このベンダブル装置３４０が携帯電話１００に装着された時、状態遷移による動作を、図１５を参照しながら説明する。参照として図１５は、図面を単純化するためにコイルスプリング４４８の表現を省略した。閉鎖状態では第２下部ブラケット軸３４４cがスイングリンク溝３４６dの一番内側に位置しながら、その右側面に触れたスイングリンク溝３４６dの側壁によって拘束(lock)されていて、コイルスプリング４４８が下部ブラケット３４４を押す力を勝ち抜ける。また、スイングリンク溝３４６dの入口は上側を向けているし、スイングリンク突起３４６aはガイド溝１１４dに支持されて、おおよそ４時方向に向ける。引き下そうとする外力によってベンダブル装置３４０はこの状態でガイド溝１１４aの最後まで下がった後、スイングリンク突起３４６aが本体部の側壁１１１ｂにぶつかれば(この時が図１４の(b)に示された開き状態である)、その時からはスイングリンク３４６がスイングリンク軸３４６ｃを中心に時計方向に回転するようになるが、この過程でスイングリンク溝３４６dの一番内側の曲がった溝の入口顎にかかって拘束されていた第２下部ブラケット軸３４４cは、その入口顎を脱して入口側に出るようになる。スイングリンク突起３４６aがベンダブル係止溝１１４ｂ内に深く入って行って６時方向に直立するまでスイングリンク３４６が回転をする。この過程で下部ブラケット３４４がスイングリンク溝３４６dの入口に押されて上部ブラケット３４２に軸結合された第１下部ブラケット軸３４４ｂを中心に時計方向に回転するようになる。下部ブラケット３４４が所定角度(θ)回転するようになれば、その内面が上部ブラケット３４２の内面とぶつかってそれ以上回転することができないベンダブル状態(図１４の(c))になる。これによって、上部ブラケット３４２と下部ブラケット３４４の上面にそれぞれ固定される上部ムービング部１２０と下部ムービング部１３０もベンダブル状態になる。ベンダブル状態では第２下部ブラケット軸３４４cがスイングリンク溝３４６dの入口の左側突出部に乗り越えた状態で拘束されているので、スイングリンク３４６が反時計方向に回転しない限り下部ブラケット３４４は、遊びなしに折れた状態を維持するようになる。ベンダブル状態から開き状態を経て閉鎖状態へ戻る過程は上で言及した動作過程が逆順になる。
【００７５】
(４)第４実施例
【００７６】
図１５は、第４実施例によるベンダブル装置４４０の分解斜視図と組み立て状態図を見せてくれて、図１６はこのベンダブル装置４４０が携帯電話１００に設置された時の各状態別動作を見せてくれる。スイングリンク４４６の胴体４４６ｂの一側面で外側にスイングリンク突起４４６aが延長されて全体的な形状がやや小さい鍵に似ていて、スイングリンク軸４４６ｃがスイングリンク突起４４６aと遠い側の縁に位置するという点では、前の実施例と大同小異である。また、スイングリンク孔４４６dは、第１実施例のスイングリンク溝１４６dのように長さ方向に長く延長されながら一側端の部分は曲がった模様である。但し、スイングリンク溝４４６dがスイングリンク軸４４６ｃと同じ面に形成されるという点では第１実施例異なって、むしろ第３実施例と同じである。上部ブラケット４４２は胴体４４２aがベース面とこの二つの側面縁で垂直延長面で構成されて、ベース面には三つの貫通孔４４２ｂ、４４２c、４４２ｄが形成される。スイングリンク４４６は上部ブラケット４４２の外側でスイングリンク軸４４６ｃが上部ブラケット４４２の第３貫通孔４４２ｄに挿入されて、そのスイングリンク軸４４６ｃを中心に回転可能に結合される。下部ブラケット４４４は、胴体４４４aがベース面とこれの中間程度で直立した垂直面を含んで、この垂直面には二つの軸４４４b、４４４cが垂直延長される。第１下部ブラケット軸４４４ｂは、上部ブラケット４４２の第１貫通孔４４２ｂに挿入されて下部ブラケット４４４が上部ブラケット４４２に対して回転可能に結合されるようにして、第２下部ブラケット軸４４４cは、上部ブラケット４４２の楕円形状の第２貫通孔４４２cを通過してスイングリンク溝４４６dに挿入される。上部ブラケット４４２と下部ブラケット４４４との間には、またコイルスプリング４４８が配置されて、二つのブラケット４４２、４４４が離れるようにする力を加える。
【００７７】
ベンダブル装置４４０が設置されたベンダブルタイプスライド携帯電話１００の閉鎖状態では、図１６の(a)に示されたように、ガイド溝１１４a内に位置するスイングリンク突起４４６aがおおよそ４時方向に傾いていて、第２下部ブラケット軸４４４cは、上部ブラケット４４２の第２貫通孔４４２cの一番下側に位置すると同時にスイングリンク孔４４６dの一番下側の曲がった部分に位置する。この状態では、第２下部ブラケット軸４４４cは、スイングリンク溝４４６dのしなった溝の入口顎にかかって拘束されて、下部ブラケット４４４は回転することができないように拘束される。このような状態で上部ムービング部１２０及び/または下部ムービング部１３０に外力が加えられて引き下されれば、ベンダブル装置４４０は開き状態を経て図１６の(b)に示されたベンダブル状態に遷移する。このような状態遷移過程で、前記外力はスイングリンク突起４４６aが本体部の側壁１１１ｂにぶつかってスイングリンク４４６を、スイングリンク軸４４６ｃを中心に時計方向に回転させて、それによってスイングリンク孔４４６dが時計方向に回転しながら第２下部ブラケット軸４４４cは拘束から放されて、そのスイングリンク孔４４６dのしなった下側を脱して、上方へ移動するようになると同時に上部ブラケット４４２の第２貫通孔４４２cの下側から上側にも移動するようになる。移動距離は、第２貫通孔４４２cの長さまたはスイングリンク孔４４６dの長さによって制限されるように設計することができる。このような動作結果第２下部ブラケット軸４４４cは、垂直レベルが少し上昇して、このような上昇によって第１下部ブラケット軸４４４ｂを中心に下部ブラケット４４４は、時計方向に所定角度(θ)回転をするようになる。このように回転した状態では第２下部ブラケット軸４４４cは第２貫通孔４４２cの上側内壁によって拘束されて、それ以上回転することができない。第２下部ブラケット軸４４４cは、また自分を支えるスイングリンク４４６の側壁によっても拘束されて、スイングリンク４４６が反時計方向に回転しない限り下部ブラケット４４４の原状復帰は不可能である。このような一連の過程を経て、下部ブラケット４４４と下部ムービング部１３０は、上部ブラケット４４２と上部ムービング部１２０に対して所定角度(θ)程度折れ曲がるようになる。このような状態遷移は、可逆的なものである。
【００７８】
(５)第５実施例
【００７９】
図１７に示された第５実施例のベンダブル装置５４０は、第４実施例のベンダブル装置４４０と多くの点で似ている。胴体５４２aとここに三つの貫通孔５４２ｂ、５４２c、５４２ｄが形成された上部ブラケット５４２、胴体５４４aとここに二つの軸５４４b、５４４cが形成された下部ブラケット５４４の構造は、第４実施例とほとんど同一である。スイングリンク５４６もスイングリンク突起５４６aとスイングリンク孔５４６ｂ、そしてスイングリンク軸５４６ｃで構成される点と各構成要素の形状も第４実施例のスイングリンク４４６と同じである。しかし、スイングリンク軸５４６が直立した方向が第４実施例のスイングリンク４４６とは１８０度差がある。これはスイングリンク５４６を上部ブラケット５４２と下部ブラケット５４４との間に配置しながらスイングリンク軸５４６ｃが上部ブラケット５４２の内面から外側に向けて第３貫通孔５４２ｄに挿入されるようにするためである。第１下部ブラケット軸５４４ｂが第１貫通孔５４２ｂに挿入されて、下部ブラケット５４４が上部ブラケット５４２に軸結合されて、第２下部ブラケット軸５４４cがスイングリンク孔５４６dを貫通して、上部ブラケット５４２の第２貫通孔５４２cに挿入される。このような結合によって二つのブラケット５４２、５４４との間にスイングリンク５４６が回転可能に結合されて、このスイングリンク５４６の回転運動によって下部ブラケット５４４が上部ブラケット５４２に対して所定角度折れ曲がるか、または一列で開かれる動きを見せることができるようになる。
【００８０】
(６)第６実施例
【００８１】
図１８に示された第６実施例のベンダブル装置６４０は、上部ブラケット６４２、下部ブラケット６４４、スイングリンク６４６、結合軸６４７、トーションスプリング６４８を含む点とこれらそれぞれがベンダブル装置１４０の対応構成要素と同一な構造と結合関係を有するという点では第１実施例と同一である。差異点なら、携帯電話１００に対する実装性を良くするために、下部ブラケット６４４二つをあらかじめリンク部材６４５で連結して一体化させた点である。組み立てられた二つのベンダブル装置６４０はリンク部材６４５によって一体をなすようになるので、携帯電話に実装する作業が便利である。リンク部材６４５の両端部には下部ムービング部１３０に螺合するための穴６４５aがあいている。スイングリンク突起６４６aの回転運動によるベンダブル装置６４０の折れ曲がる動作とひろがり動作は第１実施例と同一である。
【００８２】
(７)第７実施例
【００８３】
図１９に示された第７実施例のベンダブル装置７４０は、第６実施例と同一な構造と結合関係を有する上部ブラケット７４２、下部ブラケット７４４、スイングリンク７４６、結合軸７４７、トーションスプリング７４８を含むが、下部ブラケット６４４をリンク部材６４５で連結する第６実施例とは異なり、二つの上部ブラケット７４２がリンク部材７４３であらかじめ一体をなす。リンク部材７４３の両側端部には上部ムービング部１２０に螺合するための穴７４３aが設けられる。スイングリンク突起７４６aの回転運動によるベンダブル装置７４０の折れ曲がる動作とひろがり動作は第１実施例同一である。
【００８４】
(８)第８実施例
【００８５】
図２０に示された第８実施例のベンダブル装置８４０は、第６実施例と第７実施例を組み合わせたものであり、第６実施例と同一な構造と結合関係を有する上部ブラケット７４２、下部ブラケット７４４、スイングリンク７４６、結合軸７４７、トーションスプリング７４８を含みながら、二つの上部ブラケット８４２は、第１リンク部材８４３によって一体で連結されて、二つの下部ブラケット８４４は第２リンク部材８４５によって一体で連結される。第１及び第２リンク部材８４３、８４５に設けられた穴８４３a、８４５aを通じて携帯電話１００に対して螺合することができる。
【００８６】
(９)第９実施例
【００８７】
図２１ないし図２３は、第９実施例によるベンダブル装置９４０を示す。図２１の分解斜視図を参照すると、このベンダブル装置９４０は二つの上部ブラケット９４２、二つが一体で連結された下部ブラケット９４４、二つのリンク９４５、二つのスイングリンク９４６を含む。上部ブラケット９４２はその胴体９４２aの上面は偏平で、下面は斜めな二つの山が横につながって屈曲されている模様をなして、各山のおおよそ中間には第１及び第２貫通孔９４２ｂ、９４２cが形成されて、その胴体の第２貫通孔９４２cが近くの縁で直立した２段上面の垂直部９４２ｄが形成されて、この上端には貫通孔９４２eが形成される。スイングリンク９４６は、一定な厚さに底面が非対称形で円やかな胴体９４６ｂとこの胴体９４６ｂの一側面の縁終端で胴体９４６ｂとは反対方向に延長されて端の部分が丸くなったスイングリンク突起９４６aが延長されて、胴体９４６ｂとスイングリンク突起９４６aはステップ面をなす。また、胴体９４６ｂのスイングリンク突起９４６aが連結された面にはスイングリンク軸９４６ｃが上部ブラケット９４２側に直立延長されて、胴体９４６ｂの反対面には貫通孔９４６dが形成される。リンク９４５は両側端が丸くなったバータイプ胴体９４５aとこの胴体９４５aの両側面の反対側端部には第１及び第２リンク軸９４５b、９４５cが直立延長される。下部ブラケット９４８は四角バー形状の胴体９４４aの長さ方向の両側面に結合軸９４４ｂが長さ方向に延長されて、胴体９４４aの底面と一側面が会う角辺りに筒状固定突起９４８ｃが固着されて、この固定突起９４８ｃの内部には貫通孔９４４dが形成される。図示された下部ブラケット９４８は、二つの下部ブラケットが胴体９４４aによって一体で連結されたものとして見られる。スイングリンク軸９４６ｃは上部ブラケット９４２の内側で第２貫通孔９４２cに挿入されて軸回転が可能に結合される。リンク９４６の第１リンク軸９４５bはスイングリンク胴体９４６ｂの貫通孔９４６dに挿入されて、第２リンク軸９４５cは下部ブラケット９４８の固定突起９４８ｃ内の貫通孔９４４dに挿入される。組み立てられたベンダブル装置９４０が携帯電話１００に設置される時上部ブラケット９４２と下部ブラケット９４４は上部ムービング部１２０と下部ムービング部１３０にそれぞれ固定される。
【００８８】
図２２の(a)と(b)は、組み立てられたベンダブル装置９４０の閉鎖状態と開き状態の様子をそれぞれ示して、図２３の(a)と(b)は、閉鎖状態とベンダブル状態との間の状態遷移を説明するための断面図である。これら二つの図面を参照して、このベンダブル装置９４０の状態遷移による動作内容を説明する。閉鎖状態ではリンク９４５の第１リンク軸９４５bと第２リンク軸９４５cがおおよそ類似なレベルに位置して、上部ブラケット９４２に軸結合されたスイングリンク軸９４６ｃは、これらよりはずっと高いレベルに位置して、三つの軸が少し斜めな三角形をなす。この状態でスイングリンク突起９４６aに時計方向での回転力が加えられれば(スイングリンク突起９４６aが本体部の側壁１１１ｂにぶつかった状態でムービング部１２０、１３０に引き下す力がずっと作用する時、前記回転力が加えられるようになる)スイングリンク９４６は、スイングリンク軸９４６ｃを中心に時計方向に回転をするようになり、それによってスイングリンク胴体９４６ｂの貫通孔９４６dに結合された第１リンク軸９４５bもスイングリンク軸９４６ｃを中心に時計方向に回転する。その結果、第１リンク軸９４５bのレベルが上に上がりながらリンク９４５も全体的におおよそ１０時方向で付いて上がって、これによる力が下部ブラケット９４４にも伝達される。その結果、第２リンク軸９４５cに結合された下部ブラケット９４４の筒状固定突起９４４cが持ち上げられながら下部ブラケット９４４は、結合軸９４４ｂを中心に所定角度(θ)程度回転をするようになる。このようなベンダブル状態ではスイングリンク軸９４６ｃは、二つのリンク軸９４５b、９４５cとほとんど同じレベルで下って、リンク９４５と下部ブラケット９４４の側面がなす角度も閉鎖状態に比べてさらに離れる。反対に、スイングリンク突起９４６aに反時計方向の回転力が加えられれば、閉鎖状態に還元される。
【００８９】
(１０)第１０実施例
【００９０】
図２４ないし図２６は、第１０実施例によるベンダブル装置１０４０を示す。ベンダブル装置１０４０の分解斜視図である図２４を参照すると、このベンダブル装置１０４０は、二つの上部ブラケット１０４２と二つが一体で連結された下部ブラケット１０４４、そして二つのスイング突起１０４６を具備する。
【００９１】
下部ブラケット１０４４は、長方形断面の棒状の胴体１０４６aの両側面には外側方向に結合軸１０４４ｂが直立延長されて、両端部の辺りに垂直方向の貫通孔１０４４cが形成される。スイング突起１０４６は、下部ブラケット１０４４胴体１０４６aの両側端部角近傍に下敷部１０４６ｂが固定されて、その下敷部１０４６ｂの外側角から下方に直立した突部１０４６aを有する。下敷部１０４６ｂの上面は、胴体１０４４aの底面及び上部ブラケット胴体１０４２aの底面とは所定角度(θ)程度傾いた面である。
【００９２】
上部ブラケット１０４２の胴体は、下部ブラケット１０４４の胴体１０４４aの側面に対面しながら貫通孔１０４２cを通じて結合軸１０４４ｂと軸結合する結合部１０４２aと下部ブラケットの下敷部１０４６ｂの傾いた上面と前記所定角度(θ)程度傾くように対面しながら下部ブラケット１０４４の回転角度を制限する回転制限部１０４２ｂを含む。上部ブラケット１０４２は、結合部１０４２aが、背敷きに該当し、回転制限部１０４２ｂは尻下敷及び足下敷に該当する椅子の模様と類似である。回転制限部１０４２ｂには螺合のための貫通孔１０４２ｄが設けられる。
【００９３】
このような上部ブラケット１０４２二つが下部ブラケット１０４４の両側結合軸１０４４ｂに挿入されて、下部ブラケット１０４４が上部ブラケット１０４２に対して回転可能に結合される。上部ブラケット１０４２と下部ブラケット１０４４は、第２貫通孔１０４２ｄと貫通孔１０４４cを通じて携帯電話１００の上部ムービング部１２０と下部ムービング部１３０にそれぞれ結合される。
【００９４】
図２５の(a)と(b)は、組み立てられたベンダブル装置１０４０の閉鎖状態と開き状態の様子をそれぞれ示して、図２６の(a)と(b)は、閉鎖状態とベンダブル状態の断面図である。この図面を参照してベンダブル装置１０４０の状態遷移動作を説明すると、下部ブラケット１０４４が上部ブラケット１０４２に簡単に軸結合だけがなされた構造であるので、図２６の(a)のような閉鎖状態で突部１０４６aを右側から左に押せば、下部ブラケット１０４４は結合軸１０４４ｂを中心に時計方向に回転し始めて、下敷部１０４６ｂの上面が上部リンク１０４２の底面に触れる時まで回転する。このような回転によって下部ブラケットの胴体１０４４aは、所定角度(θ)回転する。突起部１０４６aに反対方向の外力が加えられれば再び下部ブラケット胴体１０４４aは、反対方向に回転して閉鎖状態に復帰する。
【００９５】
一方、図１ないし図３に示された携帯電話１００のベース部１１０には、上部及び下部ムービング部１２０、１３０が移動する道(ガイドレール１１５)とベンダブル装置１４０が移動する道(ガイド溝１１４a)が別に設けられる。しかし、必ず別個の移動路が設けられる必要はなくて、一つの共通の移動路だけが提供されても良い。図２７のベース部１１０-１は、図１のベース部１１０の変形実施例として、このベース部１１０-１は上部及び下部ムービング部１２０、１３０が移動する道とベンダブル装置１４０が移動する道を別に設けなくて、一つの共通ガイド溝１１４a-１だけを提供する構造である。すなわち、このベース部１１０-１は、ベース本体１１０a-１のシンクにガイド板１１０ｂ-１を収納して締結すると、ベース本体１１０a-１の左右側壁とガイド板１１０ｂ-１の側面の間の隙間がまさにガイド溝１１４a-１になる構造である。残りの特徴は、第１実施例と大同小異である。すなわち、上部及び下部ムービング部１２０、１３０のスライド移動を案内するためにガイド板１１０ｂ-１の左右側面に沿って顎を形成して、ガイドレール１１５-１が設けられる。ガイド溝１１４a-１の下端にはもう少し深いベンダブル係止溝１１４b-１が設けられる。ベンダブル装置１４０とスライダー１２２は一列に繋がって配置するが、ベンダブル装置１４０がベンダブル係止溝１１４b-１の側に位置されるようにする。
【００９６】
変形実施例
【００９７】
以上ではベンダブル装置を別途の独立された部品で組立てて、携帯電話１００に装着した場合を例にして説明したが、このような方式ではなく、ベンダブル装置１４０、２４０、…、１０４０を携帯電話に一体化させた形態で構成することもできる。例えば、携帯電話１００の上部ムービング部１２０と下部ムービング部１３０をデザインする時、これらそれぞれにベンダブル装置１４０、２４０、…、１０４０の上部ブラケットと下部ブラケットをその一部として一体化させてデザインする方式である。このようなデザインによると、スイングリンク１４６、２４６、…だけが上部ムービング部及び/または下部ムービング部に組立てれば良い。
【００９８】
また、ベンダブル装置１４０、２４０、…、１０４０は、携帯電話以外にもスライド方式で開閉する他の種類の機器に広く適用されることができる。キーボードと画面を基板部とスライド部にそれぞれ配置して、スライド方式で開閉する構造でデザインされた装置なら、本発明のベンダブル装置を１４０、２４０、…、１０４０適用することができるであろう。例えば、ＰＤＡ、スマートホン、小型ノートブックなどのような装置がスライド開閉方式を採用する場合、本発明のベンダブル装置が適用されることができる。
【００９９】
第９実施例と第１０実施例は、次のように変形実施されることができるであろう。すなわち、二つの下部ブラケットを一体で連結するためのバー形状の胴体９４４aまたは１０４４aを採用しないで、それぞれ別途の独立された下部ブラケット構造を取ることもできるであろう。
【産業上の利用可能性】
【０１００】
以上では本発明の望ましい実施例を参照して説明したが、該当技術分野の熟練された当業者は、下記の特許請求の範囲に記載した本発明の思想及び領域から脱しない範囲内で本発明を多様に修正及び変更させることができる。したがって、特許請求の範囲の等価的な意味や範囲に属するすべての変化らは全部本発明の権利範囲内に属することを明らかにしておく。
【０１０１】
携帯電話、ＰＤＡ、モバイルＰＣなどのような携帯用機器に適用されることができるスライド装置として、ベース(base)部材にスライド可能に結合されたムービング(Moving)部材が開かれる時に所定角度程度折れ曲がる構造になったベンダブルスライド装置に利用されることができる。
【図１】
2010526509.tif 000003
【図２】
2010526509.tif 000004
【図３】
2010526509.tif 000005
【図４】
2010526509.tif 000006
【図５】
2010526509.tif 000007
【図６】
2010526509.tif 000008
【図７】
2010526509.tif 000009
【図８】
2010526509.tif 000010
【図９】
2010526509.tif 000011
【図１０】
2010526509.tif 000012
【図１１】
2010526509.tif 000013
【図１２】
2010526509.tif 000014
【図１３】
2010526509.tif 000015
【図１４】
2010526509.tif 000016
【図１５】
2010526509.tif 000017
【図１６】
2010526509.tif 000018
【図１７】
2010526509.tif 000019
【図１８】
2010526509.tif 000020
【図１９】
2010526509.tif 000021
【図２０】
2010526509.tif 000022
【図２１】
2010526509.tif 000023
【図２２】
2010526509.tif 000024
【図２３】
2010526509.tif 000025
【図２４】
2010526509.tif 000026
【図２５】
2010526509.tif 000027
【図２６】
2010526509.tif 000028
【図２７】
2010526509.tif 000029
【国際調査報告】
2010526509.tif 000030
2010526509.tif 000031
2010526509.tif 000032